(57)【要約】【課題】サービス提供に伴う決済を通信網を介して行う場合に、利便性を損なうことなく、利用者の個人情報に対するセキュリティが確保可能な通信管理装置、及び、通信端末を用いた代金の決済方法すること。【解決手段】ローカルネットワーク管理装置４は通信端末２の通信料金を決済する。ローカルネットワーク管理装置４の決済要求受信部４１は通信端末２からサービス提供の要求を受けたサービス提供業者サーバ６からこのサービス提供に伴う決済の内容を示す情報を含む決済要求を受信し、格納部４２は決済要求受信部４１により受信された決済要求に含まれる決済の内容を示す情報を記録装置４ｅに格納し、決済内容送信部４３は格納部４２によって記録装置４ｅに格納された決済の内容を示す情報を通信端末２に送ってこの決済の内容の確認を通信端末２に要求する。【選択図】図３
2008262355.tif 000002
【特許請求の範囲】
【請求項１】
通信端末の属するローカルネットワークにおいて該通信端末の通信を管理しており該通信端末の通信料金を決済する通信管理装置であって、
前記通信端末からサービス提供の要求を受けたサービス提供業者のサーバから、該サービス提供に伴う決済の内容を示す情報を含む決済要求を受信する決済要求受信手段と、
前記決済要求受信手段により受信された前記決済要求に含まれる前記決済の内容を示す情報をメモリに格納する格納手段と、
前記格納手段によって前記メモリに格納された前記決済の内容を示す情報を前記通信端末に送信する決済内容送信手段と、
前記決済内容送信手段により前記決済の内容が前記通信端末に送信された後に、該通信端末から該決済を行う旨の指示を受信する指示受信手段と、
前記指示受信手段が前記決済を行う旨の指示を受信すると、前記メモリに格納された前記決済の内容に基づいて該決済を行う決済手段と
を備える、ことを特徴とする通信管理装置。
【請求項２】
通信端末を用いた代金の決済方法であって、
前記通信端末の属するローカルネットワークにおいて該通信端末の通信を管理しており該通信端末の通信料金を決済する通信管理装置が、該通信端末からサービス提供の要求を受けたサービス提供業者のサーバから、該サービス提供に伴う決済の内容を示す情報を含む決済要求を受信する決済要求受信ステップと、
前記決済要求受信ステップの後、前記通信管理装置が、前記決済の内容を示す情報を該通信管理装置のメモリに格納する格納ステップと、
前記格納ステップの後、前記通信管理装置が、前記決済の内容を示す情報を前記通信端末に送信する決済内容送信ステップと、
前記決済内容送信ステップの後、前記通信管理装置が、該通信端末から該決済を行う旨の指示を受信する指示受信ステップと、
前記通信管理装置が、前記指示受信ステップにおいて前記決済を行う旨の指示を受信すると、前記メモリに格納された前記決済の内容に基づいて該決済を行う決済ステップと
を有する、ことを特徴とする通信端末を用いた代金の決済方法。
【発明の詳細な説明】
【技術分野】
【０００１】
本発明は、通信管理装置と、通信端末を用いた代金の決済方法とに関する。
【背景技術】
【０００２】
近時、クレジットカードを利用してオンラインで決済を行うシステムが利用されている。このようなシステムの一例は、特許文献１に開示されている。特許文献１に記載のオンラインショッピングシステムでは、店舗のホストシステムから利用者のコンピュータシステムに送信されたサービス情報から利用者の所望のサービスが選択され、そのサービスの発注情報が、利用者のカード名、カード番号、暗証番号、支払方法等とともに利用者のコンピュータシステムから店舗のホストシステムに送信される。このようにして、サービスの利用に伴うクレジットカードを用いた決済が行われる。
【特許文献１】特開２００６−３０２３１１号公報
【発明の開示】
【発明が解決しようとする課題】
【０００３】
このようなクレジットカードを利用した従来のシステムでは、インターネット等の通信網を介して、クレジットカードのカード番号や暗証番号等の個人情報が、利用者のコンピュータシステムから店舗のホストシステムに送信される。しかし、このような個人情報のセキュリティ確保は店舗のホストシステムにおいては困難である。また、個人情報のセキュリティ確保のため、クレジットカードを用いた決済に替えて、口座振替用紙を用いて利用料金を利用者が銀行に直接振り込む決済方法も利用されている。しかし、このような決済方法では、銀行窓口で利用者が直接手続きしなければならず、利用者にとって著しく不便である。
【０００４】
そこで本発明の目的は、サービス提供に伴う決済を通信網を介して行う場合に、利便性を損なうことなく、利用者の個人情報に対するセキュリティが確保可能な通信管理装置、及び、通信端末を用いた代金の決済方法を提供することである。
【課題を解決するための手段】
【０００５】
本発明は、通信端末の属するローカルネットワークにおいて該通信端末の通信を管理しており該通信端末の通信料金を決済する通信管理装置であって、上記通信端末からサービス提供の要求を受けたサービス提供業者のサーバから、該サービス提供に伴う決済の内容を示す情報を含む決済要求を受信する決済要求受信手段と、上記決済要求受信手段により受信された上記決済要求に含まれる上記決済の内容を示す情報をメモリに格納する格納手段と、上記格納手段によって上記メモリに格納された上記決済の内容を示す情報を上記通信端末に送信する決済内容送信手段と、上記決済内容送信手段により上記決済の内容が上記通信端末に送信された後に、該通信端末から該決済を行う旨の指示を受信する指示受信手段と、上記指示受信手段が上記決済を行う旨の指示を受信すると、上記メモリに格納された上記決済の内容に基づいて該決済を行う決済手段とを備える、ことを特徴とする。
【０００６】
本発明は、通信端末を用いた代金の決済方法であって、上記通信端末の属するローカルネットワークにおいて該通信端末の通信を管理しており該通信端末の通信料金を決済する通信管理装置が、該通信端末からサービス提供の要求を受けたサービス提供業者のサーバから、該サービス提供に伴う決済の内容を示す情報を含む決済要求を受信する決済要求受信ステップと、上記決済要求受信ステップの後、上記通信管理装置が、上記決済の内容を示す情報を該通信管理装置のメモリに格納する格納ステップと、上記格納ステップの後、上記通信管理装置が、上記決済の内容を示す情報を上記通信端末に送信する決済内容送信ステップと、上記決済内容送信ステップの後、上記通信管理装置が、該通信端末から該決済を行う旨の指示を受信する指示受信ステップと、上記通信管理装置が、上記指示受信ステップにおいて上記決済を行う旨の指示を受信すると、上記メモリに格納された上記決済の内容に基づいて該決済を行う決済ステップとを有する、ことを特徴とする。
【０００７】
以上のように、通信端末から要求されるサービス提供に伴う決済は、通信端末の通信を管理し通信料金の決済を行う通信管理装置が代行する。通信管理装置は、通信端末の通信料金の決済に不可欠な個人情報を有しているので、このサービス提供に伴う決済において、決済に必要な例えばクレジットカードのカード番号のような個人情報をサービス提供業者のサーバに通知する必要がない。よって、サービス提供業者のサーバは、個人情報に対するセキュリティ維持のためのシステムを備える必要がなく、サービス提供業者のサーバの設備設置や維持管理に要するコストが低減できる。
【０００８】
また、通信端末のユーザは、重要な個人情報を、サービス提供業者のサーバに保持させる等して分散させずに済むので、個人情報の管理が一元化でき、セキュリティが向上される。また、通信端末のユーザは、決済の度に個人情報を入力する、ということがなくなるので、利便性が向上される。また、通信端末のユーザは個人情報の入力を行わずにサービス提供を受けられるので、サービス提供業者に対する信用が増して集客能力が高まる。また、サービス提供に伴う決済は、通信料金の請求とともに、例えば月末等に一括して（単一の請求書を用いて）ユーザに請求できる。
【発明の効果】
【０００９】
本発明によれば、サービス提供に伴う決済を通信網を介して行う場合に、利便性を損なうことなく、利用者の個人情報に対するセキュリティが確保可能な通信管理装置、及び、通信端末を用いた代金の決済方法が提供できる。
【発明を実施するための最良の形態】
【００１０】
以下、図面を参照して、本発明に係る好適な実施形態について詳細に説明する。なお、図面の説明において、可能な場合には、同一要素には同一符号を付し、重複する説明を省略する。図１は、実施形態に係るネットワークシステム１の構成を示す図である。ネットワークシステム１は、通信端末２、ローカルネットワーク管理装置４及びサービス提供業者サーバ６を備える。なお、図１には、説明及び図示簡略化のため、通信端末２、ローカルネットワーク管理装置４及びサービス提供業者サーバ６がそれぞれ一つずつ記載されているが、ネットワークシステム１は、通信端末２、ローカルネットワーク管理装置４及びサービス提供業者サーバ６をそれぞれ複数備えていてもよい。
【００１１】
通信端末２は、携帯電話等の移動通信体や、ＰＣ（Personal  Computer）等である。通信端末２は、ローカルネットワーク管理装置４及びサービス提供業者サーバ６と通信可能である。通信端末２の表示装置は、ローカルネットワーク管理装置４やサービス提供業者サーバ６のＷｅｂページが表示可能である。
【００１２】
ローカルネットワーク管理装置４は、通信端末２及びサービス提供業者サーバ６と通信可能である。ローカルネットワーク管理装置４は、通信端末２の属するローカルネットワーク内に設けられていてもよいし、このローカルネットワーク外に設けられていてもよい。ローカルネットワーク管理装置４は、通信端末２の属するローカルネットワークにおいて通信端末２の通信を管理する通信管理装置である。ここで、ローカルネットワークとは、キャリア事業者の管理する通信網やＩＳＰ（Internet  Service  Provider）の管理する通信網である。
【００１３】
ローカルネットワーク管理装置４は、通信端末２がインターネットにアクセスする場合、通信端末２にＩＰアドレスを付与する。ローカルネットワーク管理装置４は、通信端末２がこのローカルネットワーク（インターネットを含む）を利用することにより生じる通信料金の決済を自動的に行う。ローカルネットワーク管理装置４は、通信端末２の通信料金の決済を行うための個人情報（例えば、通信端末２を有するユーザの氏名、連絡先、及び、決済に用いるクレジットカードのカード番号等）を予めメモリ（記録装置４ｅ）に保持している。
【００１４】
なお、ローカルネットワーク管理装置４を有しており通信サービスを提供する通信業者（例えば、キャリア事業者やＩＳＰ）は、サービス提供業者サーバ６を有しており各種のサービス提供を行うサービス提供業者と、決済代行に関する契約を予め取り決めている。このサービス提供業者によるサービス提供に伴う決済は、ローカルネットワーク管理装置４を有する通信業者が代行する。ローカルネットワーク管理装置４は、このようなサービス提供業者のサービス提供に伴う決済を、通信端末２からの決済の指示に応じて行う。そして、決済の完了後には、決済完了通知（決済番号を示す情報等を含む）をサービス提供業者サーバ６に送信する。ローカルネットワーク管理装置４は、このサービス提供業者に関する情報（例えば、このサービス提供業者の名称及び連絡先や、サービス提供業者サーバ６のアドレス等）を予め記録装置４ｅに保持している。
【００１５】
サービス提供業者サーバ６は、通信端末２からの要求に応じて通信端末２のユーザに対して各種サービスを行うための装置である。このようなサービスとは、例えば、音声コンテンツや映像コンテンツ等の各種コンテンツを有料で提供するサービスであったり、本やＣＤ等の商品の購入の受付を行うサービス等である。通信端末２は、通信端末２の表示装置に表示されているサービス提供業者サーバ６のＷｅｂページ等を介して入力されたサービス提供の要求をサービス提供業者サーバ６に送信する。サービス提供業者サーバ６は、例えば、通信端末２からサービス提供の要求を受けると、サービス提供に伴う決済を識別するための決済番号を発行し、ローカルネットワーク管理装置４に決済要求を送信する。
【００１６】
この決済要求は、決済の内容を示す情報を含む。決済の内容は、サービス内容、サービス提供を行うサービス提供業者サーバ６に関する情報（例えば、サービス提供業者サーバ６を有しておりサービス提供を行うサービス提供業者の名称及び連絡先や、サービス提供業者サーバ６のアドレス等）、決済番号、及び、決済を行うローカルネットワーク管理装置４に関する情報（例えば、ローカルネットワーク管理装置４を有しており決済を行う通信業者の名称及び連絡先や、ローカルネットワーク管理装置４のアドレス等）等を含む。
【００１７】
なお、サービス提供業者サーバ６は、ローカルネットワーク管理装置４を有する通信業者に関する情報（例えば、この通信業者の名称及び連絡先や、ローカルネットワーク管理装置４のアドレス等）を予めメモリに保持している。
【００１８】
サービス提供業者サーバ６は、通信端末２からのサービス提供の要求に応じて決済番号を発行すると、この決済番号と、決済を行うローカルネットワーク管理装置４のアドレスとを示す情報とを、例えばＷｅｂページで表示可能なデータとして通信端末２に送信する。決済番号を示す情報が通信端末２により受信されると、例えば、通信端末２の表示装置に表示されるサービス提供業者サーバ６のＷｅｂページに、この決済番号とローカルネットワーク管理装置４のアドレス（ローカルネットワーク管理装置４へのリンク）とが表示される。
【００１９】
また、サービス提供業者サーバ６は、ローカルネットワーク管理装置４から決済完了通知を受信すると、この決済完了通知（決済番号を示す情報等を含む）を、例えばＷｅｂページで表示可能なデータとして通信端末２に送信する。
【００２０】
次に、ローカルネットワーク管理装置４の構成を図２及び図３を参照して説明する。ローカルネットワーク管理装置４は、物理的には、ＣＰＵ４ａ、ＲＡＭ４ｂ、ＲＯＭ４ｃ、通信装置４ｄ及び記録装置４ｅを有しており、これらはバス４ｆに接続されている。ＣＰＵ４ａは、ＲＯＭ４ｃ等の内蔵メモリに格納された所定のコンピュータソフトウェアをＲＡＭ４ｂにロードして実行することにより、ローカルネットワーク管理装置４を統括的に制御する。
【００２１】
通信装置４ｄは、通信端末２及びサービス提供業者サーバ６と通信を行うためのインターフェイスを有している。記録装置４ｅは、ＣＰＵ４ａの実行可能なコンピュータソフトウェアを格納する読み出し／書き込みが可能なメモリである。記録装置４ｅは、通信端末２の通信料金の決済を行うために必要な個人情報を格納する。記録装置４ｅは、サービス提供業者サーバ６から送信される決済要求に含まれている決済の内容を示す情報を格納する。
【００２２】
ローカルネットワーク管理装置４のＣＰＵ４ａは、図３に示す複数の機能を実現する。すなわち、ローカルネットワーク管理装置４は、機能的には、決済要求受信部４１〜決済完了通知部４６を有する。決済要求受信部４１〜決済完了通知部４６は、ＣＰＵ４ａがコンピュータソフトウェアを実行し、図２に示す情報管理装置２の各構成部を動作させることにより実現される機能である。特に、ＣＰＵ４ａは、決済要求受信部４１〜決済完了通知部４６を用いて、図４に示す処理を実行する。
【００２３】
決済要求受信部４１は、通信端末２からサービス提供の要求を受けたサービス提供業者サーバ６から、このサービス提供に伴う決済の内容を示す情報を含む決済要求を受信する。格納部４２は、決済要求受信部４１により受信された決済要求に含まれる決済の内容を示す情報を記録装置４ｅに格納する。決済内容送信部４３は、格納部４２によって記録装置４ｅに格納された決済の内容を示す情報を通信端末２に送る。この場合、通信端末２は、例えば、決済内容送信部４３により送信された決済の内容を、例えばＷｅｂページとして通信端末２の表示装置に表示し、この決済の内容の確認要求と決済指示とをこのＷｅｂページを介して通信端末２の操作者（ユーザ）に促す。
【００２４】
指示受信部４４は、決済内容送信部４３により決済の内容が通信端末２に送信された後に、通信端末２から決済指示を受信する。決済部４５は、指示受信部４４が決済指示を受信すると、記録装置４ｅに格納された決済の内容に基づいて決済を行う。ここでいう決済とは、例えば、決済部４５が、決済の承認を記録装置４ｅに保持し、通信端末２の通信料金と一括してユーザに請求するための一連のデータ処理（例えば、クレジットカード会社に通知する等の処理）を行うことを意味する。決済完了通知部４６は、決済部４５により決済が完了すると、決済の完了を示す決済完了通知（決済番号を示す情報等を含む）をサービス提供業者サーバ６に送信する。
【００２５】
次に、図４を参照して、ネットワークシステム１の動作を説明する。まず、通信端末２は、サービス提供業者サーバ６のＷｅｂページを通信端末２の表示装置に表示し、このＷｅｂページを介して通信端末２の入力装置から入力されたサービス要求をサービス提供業者サーバ６に送信する（ステップＳ１）。ステップＳ１の後、サービス提供業者サーバ６は、通信端末２からサービス提供の要求を受信すると（ステップＳ２）、このサービス提供に伴う決済を識別するための決済番号を発行し、この決済番号と、決済を行うローカルネットワーク管理装置４のアドレスとを、例えばＷｅｂページで表示可能なデータとして通信端末２に送信する（ステップＳ３）。
【００２６】
ステップＳ３の後、通信端末２は、決済番号と、ローカルネットワーク管理装置４のアドレスとをサービス提供業者サーバ６から受信すると（ステップＳ４）、例えば、Ｗｅｂページとして通信端末２の表示装置に表示する。また、ステップＳ２の後に、ステップＳ３の処理に前後して、通信端末２から要求されたサービス提供に伴う決済要求を、ローカルネットワーク管理装置４に送信する（ステップＳ５）。ステップＳ５の後、ローカルネットワーク管理装置４の決済要求受信部４１は、サービス提供業者サーバ６から送信された決済要求を受信する（ステップＳ６）。なお、ステップＳ３の処理がステップＳ５の処理に先立って行われるとしたが、これに限らず、ステップＳ５の処理がステップＳ３の処理に先立って行われてもよい。
【００２７】
ステップＳ６の後、ローカルネットワーク管理装置４の格納部４２は、ステップＳ６において決済要求受信部４１により受信された決済要求に含まれる決済の内容を示す情報を記録装置４ｅに格納する（ステップＳ７）。ステップＳ７の後、通信端末２は、例えばＷｅｂページ等を介してローカルネットワーク管理装置４に決済番号を送信し、この決済番号に対応する決済の内容の確認をローカルネットワーク管理装置４に要求する。そしてこの後、ローカルネットワーク管理装置４の決済内容送信部４３は、通信端末２の認証の後に、格納部４２によって記録装置４ｅに格納された決済の内容を示す情報を通信端末２に送る（ステップＳ８）。ここで、通信端末２の認証は、例えば通信端末２のＩＰアドレスと、ローカルネットワーク管理装置４が通信端末２に予め付与したＩＰアドレスとが一致するか、更には、通信端末２がサービス提供業者サーバ６にアクセスしたか、等が総合的に判断されることによって行われる。
【００２８】
ステップＳ８の後、通信端末２は、ローカルネットワーク管理装置４の決済内容送信部４３から送信された決済の内容を受信すると（ステップＳ９）、この受信した決済の内容を例えばＷｅｂページとして表示装置に表示し、この決済の内容の確認要求と決済指示の入力とをこのＷｅｂページを介して通信端末２の操作者（ユーザ）に促す。ステップＳ９の後、通信端末２は、Ｗｅｂページを介して通信端末２の入力装置から入力された決済指示を、ローカルネットワーク管理装置４に送信する（ステップＳ１０）。ステップＳ１０の後、通信端末２から送信された決済指示をローカルネットワーク管理装置４の指示受信部４４が受信すると（ステップＳ１１）、決済部４５は、この決済指示に応じて、記録装置４ｅに格納された決済の内容に基づいて決済を行う（ステップＳ１２）。なお、通信端末２から決済指示が送信されない場合には、ローカルネットワーク管理装置４は、ステップＳ７において記録装置４ｅに格納された決済の内容を示す情報を削除し、この旨をサービス提供業者サーバ６に通知する。
【００２９】
ステップＳ１２の後、決済完了通知部４６は、決済部４５により決済が完了されると、決済の完了を示す決済完了通知（決済番号を示す情報等を含む）をサービス提供業者サーバ６に送信する（ステップＳ１３）。ステップＳ１３の後、サービス提供業者サーバ６は、ローカルネットワーク管理装置４の決済完了通知部４６から、決済完了通知を受信すると（ステップＳ１４）、この決済完了通知を、通信端末２に送信する（ステップＳ１５）。通信端末２は、サービス提供業者サーバ６からの決済完了通知を受信すると、この通知を、例えばＷｅｂページとして表示装置に表示する。これにより、通信端末２の操作者（ユーザ）は、決済が完了した旨を確認できる。
【００３０】
次に、実施形態に係るローカルネットワーク管理装置４の作用・効果を説明する。ローカルネットワーク管理装置４は、通信端末２の属するローカルネットワークにおいて通信端末２の通信を管理しており通信端末２の通信料金を決済する。ローカルネットワーク管理装置４は、決済要求受信部４１、格納部４２、決済内容送信部４３、指示受信部４４及び決済部４５を有する。決済要求受信部４１は、通信端末２からサービス提供の要求を受けたサービス提供業者サーバ６から、このサービス提供に伴う決済の内容を示す情報を含む決済要求を受信する。格納部４２は、決済要求受信部４１により受信された決済要求に含まれる決済の内容を示す情報を記録装置４ｅに格納する。決済内容送信部４３は、格納部４２によって記録装置４ｅに格納された決済の内容を示す情報を通信端末２に送る。この場合、通信端末２は、例えば、決済内容送信部４３により送信された決済の内容を例えばＷｅｂページとして表示装置に表示し、この決済の内容の確認要求と決済指示とをこのＷｅｂページを介して通信端末２の操作者（ユーザ）に促す
【００３１】
このように、通信端末２から要求されるサービス提供に伴う決済は、通信端末２の通信を管理し通信料金の決済を行うローカルネットワーク管理装置４が代行する。ローカルネットワーク管理装置４は、通信端末２の通信料金の決済に不可欠な個人情報を有しているので、このサービス提供に伴う決済において、決済に必要な例えばクレジットカードのカード番号のような個人情報をサービス提供業者サーバ６に通知する必要がない。よって、サービス提供業者サーバ６は、個人情報に対するセキュリティ維持のためのシステムを備える必要がなく、サービス提供業者サーバ６の設備設置や維持管理に要するコストが低減できる。
【００３２】
また、通信端末２のユーザは、重要な個人情報を、サービス提供業者サーバ６に保持させる等して分散させずに済むので、個人情報の管理が一元化でき、セキュリティが向上される。また、通信端末２のユーザは、決済の度に個人情報を入力する、ということがなくなるので、利便性が向上される。また、通信端末２のユーザは個人情報の入力を行わずにサービス提供を受けられるので、サービス提供業者に対する信用が増して集客能力が高まる。また、サービス提供に伴う決済は、通信料金の請求とともに、例えば月末等に一括して（単一の請求書を用いて）ユーザに請求できる。
【図面の簡単な説明】
【００３３】
【図１】実施形態に係るネットワークシステムの構成を示す図である。
【図２】実施形態に係るローカルネットワーク管理装置の構成を示す図である。
【図３】実施形態に係るローカルネットワーク管理装置の構成を示す図である。
【図４】実施形態に係るネットワークシステムの動作を説明するためのシーケンスである。
【符号の説明】
【００３４】
１…ネットワークシステム、２…通信端末、４…ローカルネットワーク管理装置、４ａ…ＣＰＵ、４ｂ…ＲＡＭ、４ｃ…ＲＯＭ、４ｄ…通信装置、４ｅ…記録装置、４ｆ…バス、４１…決済要求受信部、４２…格納部、４３…決済内容送信部、４４…指示受信部、４５…決済部、４６…決済完了通知部、６…サービス提供業者サーバ
【図１】
2008262355.tif 000003
【図２】
2008262355.tif 000004
【図３】
2008262355.tif 000005
【図４】
2008262355.tif 000006